(57)【特許請求の範囲】
【請求項１】
ペット動物が横たわることができる大きさの面積を有するアルミニウム板であって、その板面上に５０μｍ〜１. ５ｍｍの範囲の高さの凹凸が形成されてなることを特徴とするペット動物用クーラーボード。
【請求項２】
アルミニウム板の表面に、アルマイト加工が施されている請求項１に記載されたペット動物用クーラーボード。
【発明の詳細な説明】
【０００１】
【発明の属する技術分野】
本発明は、ペット動物が横たわることにより、その体温を冷却するのに適したペット動物用クーラーボードに関するものである。
【０００２】
【従来の技術】
従来、ペット動の体に清涼感を与えるためのマット等が、各種開発され使用されている。この種のマット等としては、従来、表面に毛が植毛されたマットタイプのもののほか、冷却媒循環タイプのものと、電気駆動タイプのものが主なものである。
【０００３】
冷媒媒循環タイプのものとしては、通水袋内に吸水性ポリマーを水と共に充填し、これを一旦冷却して使用するもの（特開平１１−３２６０６号公報）や、箱状の通気室内に連通パイプを設け、この連通パイプに流動性の冷却媒を循環させて使用するようにしたもの（特開平１０−４８１３号公報）等がある。
【０００４】
電気駆動タイプのものとしては、端部位置に吸気口と排気口とを備えたマット本体と、このマット本体の面上に熱伝導体を設けると共に、この熱伝導体の裏面であって、前記本体内に電子冷却素子体等を設けてなるもの（特開平８−１１００６５号公報）である。
【０００５】
【発明が解決しようとする課題】
従来のマットタイプのものについては、マット表面の植毛が長期間に亘る使用により毛波立って毛溜まりとなったり、あるいはペット動物の抜けた毛が毛溜まりとなって、その表面に付着し、さらには表面にはその他の汚れが付着することが多い。しかし、マット自体を洗浄するのが困難であるため、その付着物や汚れを洗浄して完全に取り除くのが難しく、マットを清浄な状態にすることはできない。
【０００６】
冷却媒循環タイプのもの及び電気駆動タイプのものは、いずれも強制冷却式のものであり、使用に際しては何らかの冷却機構を必要とする。したがって、それを使用するには、冷却時の費用と大きな労力を必要とする。また、強制冷却式のものは、冷却時に、マット等の表面に湿気による水滴が溜まり易いという欠点がある。マット等の表面に水滴が溜まると、ペット動物が横たわった時に、その体及び体毛に水が付着するため不衛生であり、それが皮膚病の発生原因となったりするので好ましくない。
【０００７】
上記した冷却媒循環タイプのもの及び電気駆動タイプのものは、その表面の冷却を実行するために、前記したような複雑な装置構成となっているので、その全体を洗浄するのが困難である。したがって、それを持ち運びするのが困難であり、また、その付着物や汚れを洗浄して取り除くのが難しく、その表面を十分に清浄な状態にすることはできない。
【０００８】
そこで、本発明は、上記した従来のマット等における欠点を解消し、冷却効果が優れると共に、全体を容易に清浄に洗浄することができ、常に清潔な状態で使用することができるペット動物用クーラーボードを極めて簡単な構成で提供することを目的とした。
【０００９】
【課題を解決するための手段】
上記した目的を達成するため、本発明のペット動物用クーラーボードは、ペット動物が横たわることができる大きさの面積を有するアルミニウム板であって、その板面上に５０μｍ〜１. ５ｍｍの範囲の高さの凹凸が形成されてなることを特徴とする。
【００１０】
上記したペット動物用クーラーボードによれば、特別な冷却源を必要とすることなく、ペット動物が横たわった状態で、その体温を効率的に冷却することができる。すなわち、アルミニウム板の板面には５０μｍ〜１. ５ｍｍの範囲の高さの凹凸が設けられているから、ペット動物の体がアルミニウム板の表面と接触する面積をより拡大することができる。また、アルミニウム板では、その表裏面からの放熱作用が生じる。この放熱作用は、アルミニウム板の板面の５０μｍ〜１. ５ｍｍの範囲の高さの凹凸のために、ペット動物が横たわったアルミニウム板の表面部分でも生じる。また、アルミニウム板の裏面側では、その熱伝導性に基づいて、コンクリート等の設置面へ放熱される。したがって、このような冷却作用に基づいて、横たわった状態のペット動物の体に対する冷却効率が全体として高められる。
【００１２】
本発明が対象とするペット動物としては、犬、ネコ、ハムスター、うさぎ、リス、モルモット、はつかネズミ等、ペットとして飼育されている全てのものである。したがって、アルミニウム板の面積の大きさは、対象とするペット動物の大きさや種類により異なり一定しないが、例えば、ペット動物の体格が大型の犬等である場合、６１０×４００〜１２００ｍｍの範囲のものとすることが好ましい。また、ペット動物の体格が小型のリス、はつかネズミ等である場合、１５０×２５０〜４００ｍｍの範囲のものとすることが好ましい。
【００１３】
アルミニウム板の厚さは一定しないが、強度的な点、重量的な点から、２〜３ｍｍの範囲内であることが好ましく、２. ５ｍｍであればさらに好ましい。この範囲の面積及び厚さのアルミニウム板である場合、約２〜４ｋｇの重量のボードを得ることができる。この程度の重量のクーラーボードであれば、一般人が支障なく持ち運びすることが可能である。また、人が持ち運びするのに容易なように、クーラーボードにはその端縁付近の板面に、孔を形成する等の手段により、把手を設けておくとよい。
【００１４】
アルミニウム板面上の凹凸の高さは、５０μｍ〜１. ５ｍｍの範囲内にあるとき、前記した作用を有効に得ることができる。この凹凸の高さがこの範囲内であると、クーラーボードの製作が容易である上、汚れが付着し難く、また付着した汚れを洗浄して容易に取り除くことができる。また、この凹凸により、ペット動物がボード面で滑動するのを軽減乃至防止できる。
【００１５】
この凹凸をアルミニウム板面に形成する方法としては、手段は問わず、ヘアライン加工、溝加工、エンボス加工、パンチング加工等の既知の一般的な加工方法によることができる。特に、ヘアライン加工によれば、５０〜８００μｍの範囲の高さで、微細な凹凸を迅速にしかも均等な状態で得ることができ、しかも、横たわったペット動物に対して苦痛を与える等の支障も生じない点で好ましい。
【００１６】
アルミニウム板は、その板面が腐食により酸化されて酸化粉が発生するおそれがある。このような酸化粉は汚れとしてペット動物の体表面に付着することが多い。このような腐食による酸化粉の発生を防止するため、アルミニウム板の板面には、アルマイト加工が施されていることが好ましい。アルマイト加工により、クーラーボードの板面を物理的に強化することができると共に、アルミニウム板の板面に予め防錆皮膜を形成させることができ、腐食による酸化粉の発生を防止できるからである。
【００１７】
本発明のペット動物用クーラーボードは、ペット動物が横たわる表面がアルミニウム板表面によるドライ仕様となっているから、汚れが付着し難く、また汚れが付着しても、その汚れについてはクーラーボードの全体を洗浄することにより、十分にかつ容易に取り除くことができる。
【００１８】
【発明の実施の形態】
本発明の実施の形態を図に基づいて説明する。図１に示すペット動物用クーラーボード１は、素材がＡ１１００のアルミニウムを使用し、平面形が矩形状で、寸法が６２０ｍｍ×４００〜９１６ｍｍ、重量が２〜５ｋｇのアルミニウム板２からなる。
【００１９】
アルミニウム板２の表面２ａには、凹凸４が一様に設けられている。この凹凸４は、ヘアライン加工（＃１５０〜＃１８０）により形成した。すなわち、ヘアライン加工時に複数の直線を平行に直交するように形成し、これにより複数の凹凸４が個別に形成されている。これらの凹凸４は、約５０μｍの間隔で、凸部４ａの高さが凹部４ｂの底部から５０〜８００μｍである。
【００２０】
把手用の孔５が設けれることにより、アルミニウム板２の端縁部分に把手５ａが形成されている。把手５ａを介して人力により容易に持ち運びすることができる。したがって、ペット動物用クーラーボード１を目的の場所にまで容易に搬送することができる。この搬送する目的の場所は、ペット動物用クーラーボード１を設置するフロアーのほか、洗浄場所等が含まれる。
【００２１】
アルミニウム板２の表面２ａには、Ｂ２アルマイト加工が施されている。このＢ２アルマイト加工により、表面２ａにアルミニウムの酸化皮膜３が形成される。酸化皮膜３により、表面２ａが物理的に強化させると共に、腐食による酸化粉の発生を防止することができる。Ｂ２アルマイト加工の方法は、公知の方法によることができる。したがって、アルミニウム板２にそのアルミニウム素材に原因する汚れに関する限り、ペット動物用クーラーボード１を常に清浄な状態で使用することができる。
【００２２】
図３には、ペット動物用クーラーボード１の使用状態を示した。ペット動物用クーラーボード１をコンクリートや木製のフロアー等の面上に敷設した状態で設置すると、その表面２ａにペット動物６は、清涼感を求めて自らの意思で横たわる。このとき、ペット動物６の体表面６ａの部分は凹凸４の凸部４ａの頂面から凹部４ｂの内面にわたる部分にくい込んだ状態となる。この結果、体表面６ａがペット動物用クーラーボード１の表面２ａと接触する面積割合が拡大するから、ペット動物６の体表面６ａｔｏペット動物用クーラーボード１に伝導される熱量が大きくなる。
【００２３】
この際、体表面６ａは凹部４ｂの内面全体と密着状態とならず、凹部４ｂとの間に間隙７が生じている。したがって、間隙７は上記した伝導熱を周囲に効率的に放出するように作用する。
【００２４】
結局、設置されたペット動物用クーラーボード１については、ペット動物６が横たわった面部分以外の表面２ａの開放面及び裏面２ｂから放熱されるほかに、上記したように、より大きな接触面積により、ペット動物６の体表面６ａから熱を効率的に奮い去るのと相まって、間隙７から効率的に放熱される。この結果、ペット動物６の体表面６ａは効率的に冷却される。
【００２５】
【実施例】
（実施例１、比較例１〜３）
図１及び図２に示す形態で実施例１のペット動物用クーラーボード１０を構成した。このペット動物用クーラーボード１０は、表面にヘアライン加工（＃１５０〜１８０）による凹凸を形成したアルミニウム板（縦３１０ｍｍ×横４００ｍｍ×厚さ２．５ｍｍ）であり、さらに、その表面にアルマイト加工を施したものである。
【００２６】
このクーラーボード１０を常温２５℃下で木板製のフロアー面上に配設し、このクーラーボード１０の表面中央位置に１区分６０ｍｍ×１３８ｍｍの範囲で、４０℃の温度に調整した高給水性のジェル約７５ｇをナイロン樹脂のジェルパック１１し、これを２区分に一端縁が隣接する状態で載置した。このクーラーボード１０における経時的な温度変化をサーモカメラで撮影して、その温度状態の計測色の状態を図４から図６に示した。
【００２７】
実施例１のクーラーボード１０は、ジェルパック１１の各載置区分１２においては、図４に示すように、載置直後に、各載置区分１２の周囲部分が瞬時に温度が吸収されて低下して約３５℃の温度状態Ｂとなるが、各区分１２の中央位置では大部分が約４０℃の温度状態Ａのままである。
【００２８】
図５に示すように、載置時から２２７秒後（約４分後）には、常温下で放熱して、クーラーボード１０の各載置区分１２の大部分は約３５℃の温度状態Ｂとなる。各載置区分１２の周囲部分は、約３２℃の温度状態Ｃに低下する。また、その外周のクーラーボード１０の部分は、約３０℃の温度状態Ｄとなる。
【００２９】
図６に示すように、さらに載置時から４６７秒後（約８分後）には、一方の載置区分１２では、その大部分は約３５℃の温度状態Ｃであるが、他方の載置区分１２の中央位置の多くの部分が約３０℃の温度状態Ｄにまで低下する。
【００３０】
次に、比較例１のクーラーボード２０は実施例１と同じサイズのアルミニウムボードであり、クーラーボード３０は実施例１と同じサイズのフローリング板材であり、クーラーボード４０はコンクリート製の床材である。
【００３１】
これらのクーラーボード２０〜４０についても前記した実施例１の場合と同様に加温ジェルを載置して、加温ジェルの熱を吸収することによる温度変化をサーモカメラで撮影して、その温度状態の計測色の状態を図７から図９、図１０から図１２、及び図１３から図１５にそれぞれ示した。
【００３２】
比較例１のクーラーボード２０における加温ジェル２１の各載置区分２２においては、図７に示すように、載置直後には、実施例１のクーラーボード１０と同様に、各載置区分２２の周囲部分が瞬時に温度が吸収されて低下して約３５℃の温度状態Ｂとなるが、その載置区分１２の中央大部分が約４０℃の温度状態Ａのままである。
【００３３】
図８に示すように、載置時から２２７秒後（約４分後）には、クーラーボード１０の各載置区分２２の中央部分は約３５℃の温度状態Ｂとなり、各載置区分２２の周囲部分は、約３２℃の温度状態Ｃに低下する。
【００３４】
図９に示すように、さらに載置時から４６７秒後（約８分後）には、各載置区分２２では、その中央部分は約３５℃の温度状態Ｂとなり、その周囲部分が３２℃の温度状態Ｃとなる。さらに外周部は３０℃の温度状態Ｄの状態となる。
【００３５】
比較例１のクーラーボード２０におけるジェル２１の各載置区分２２では、図７に示すように、載置直後では、実施例１のクーラーボード１０と同様に、各載置区分２２の周囲部分が瞬時に温度が吸収されて低下して約３５℃の温度状態Ｂとなるが、その区分２２の中央大部分が約４０℃の温度状態Ａのままである。
【００３６】
図８に示すように、載置時から２２７秒後（約４分後）には、クーラーボード１０の各載置区分１２の中央部分は約３５℃の温度状態Ｂとなり、各載置区分１２の周囲部分は、約３２℃の温度状態Ｃに低下する。
【００３７】
図９に示すように、載置時から４６７秒後（約８分後）には、各載置区分２２では、その中央部分は約３５℃の温度状態Ｂでとなり、その周囲部分が３２℃の温度状態Ｃとなる。さらに外周部は３０℃の温度状態Ｄの状態となる。
【００３８】
比較例２のクーラーボード３０におけるジェル３１の各載置区分３２では、図１０に示すように、載置直後では、実施例１のクーラーボード１０と同様に、各区分３２の周囲部分が瞬時に温度が吸収されて低下して約３５℃の温度状態Ｂとなるが、その区分２２の中央大部分が約４０℃の温度状態Ａのままである。
【００３９】
図１１に示すように、載置時から２２７秒後（約４分後）には、クーラーボード１０の各区分３２の中央部分は約４０℃の温度状態Ａとなり、各載置区分３２の周囲部分は、約３５℃の温度状態Ｂとなる。
【００４０】
図１２に示すように、載置時から４６７秒後（約８分後）には、各載置区分３２では、その中央部分は約４０℃の温度状態Ａのままで、その周囲部分が３５℃の温度状態Ｂとなる。さらに外周部は３２℃の温度状態Ｃの状態となる。外周部は３０℃の温度状態Ｄ、及び最外周部は２８℃の温度状態Ｅとなる。
【００４１】
比較例３の１のコンクリート４０におけるジェル４１の各載置区分４２では、図１３に示すように、塗布直後では、実施例１のクーラーボード１０と同様に、各区分４２の周囲部分が瞬時に温度が吸収されて低下して約３５℃の温度状態Ｂとなるが、その区分４２の中央大部分が約４０℃の温度状態Ａのままである。
【００４２】
図１４に示すように、載置時から２２７秒後（約４分後）には、クーラーボード４０の各区分４２の中央部分は約４０℃の温度状態Ａとなり、各塗布区分４２の外周囲は約３５℃の温度状態Ｂとなる。
【００４３】
図１５に示すように、載置時から４６７秒後（約８分後）には、各区分４２では、その中央部分は約４０℃の温度状態Ａのままで、その周囲部分が３５℃の温度状態Ｂとなる。さらに外周部は３２℃の温度状態Ｃの状態となる。外周部は３０℃の温度状態Ｄ、及び最外周は２８℃の温度状態Ｅとなる。
【００４４】
各区分の温度状態の変化を対比すると、実施例１のクーラーボード１０によれば、載置直後における４０℃の温度状態Ａは、約４分間後には速やかに消失することが分かる。これに対し、比較例１〜３のクーラーボード２０から４０では、いずれも４０℃の温度状態Ａの部分が残留している。したがって、ペット動物は、横たわった状態で速やかに清涼感を得ることができる。さらに、約８分後において実施例１のクーラーボード１０では、３０℃の温度状態Ｄにまで低下することが分かる。比較例１〜３のクーラーボード２０から４０では、なおも３５〜４０℃の温度状態Ａの部分が残り、温度低下に乏しいことが分かる。このように、本発明の実施例１に係るクーラーボード１０によれば、ペット動物における体温を極めて良好かつ迅速に低下することができる。
【００４５】
【発明の効果】
上述したように本発明は構成されるから、次のような効果が発揮される。本発明のペット動物用クーラーボードによれば、アルミニウム板の表面に設けた５０μｍ〜１. ５ｍｍの凹凸により、その表面に横たわったペット動物は効率よく冷却されるから、利用ペット動物に良好な清涼感を与えることができる。
【００４６】
本発明のペット動物用クーラーボードは、そのアルミニウム板の表面がドライ仕様であるので、汚れが付着し難く、また汚れが付着しても、クーラーボード全体を洗浄することにより、その汚れを容易に取り除くことができる。
【００４７】
本発明のペット動物用クーラーボードにおける素材がアルミニウム板であるので、加工が容易であると共に、比較的に軽量なクーラーボートを得ることができる。したがって、把手等を介して人が持ち運びするのが容易となるから、取り扱いが容易である。また、アルミニウム板については、その表面にアルマイト加工等を予め施しておくことより、クーラーボードの表面を物理的に強化することができると共に、アルミニウム素材に原因する酸化粉等の障害の発生を防止することができる。
【図面の簡単な説明】
【図１】本発明に係る実施の形態のペット動物用クーラーボードの斜視図である。
【図２】本発明に係る実施の形態のペット動物用クーラーボードの部分拡大断面図である。
【図３】本発明に係る実施の形態のペット動物用クーラーボードの使用態様を説明する部分拡大断面図である。
【図４】実施例１のクーラーボード１０に加温ジェルを載置した後の温度状態を示す平面図である。
【図５】実施例１のクーラーボード１０に加温ジェルを載置した後の温度状態の経時変化を示す平面図である。
【図６】実施例１のクーラーボード１０に加温ジェルを載置した後の温度状態の経時変化を示す平面図である。
【図７】比較例１のクーラーボード２０に加温ジェルを載置した後の温度状態を示す平面図である。
【図８】比較例１のクーラーボード２０に加温ジェルを塗布後の温度状態の経時変化を示す平面図である。
【図９】比較例１のクーラーボード２０に加温ジェルを載置した後の温度状態の経時変化を示す平面図である。
【図１０】比較例２のクーラーボード３０に加温ジェルを載置した後の温度状態を示す平面図である。
【図１１】比較例２のクーラーボード３０に加温ジェルを載置した後の温度状態の経時変化を示す平面図である。
【図１２】比較例２のクーラーボード３０に加温ジェルを載置した後の温度状態の経時変化を示す平面図である。
【図１３】比較例３のクーラーボード４０に加温ジェルを載置した後の温度状態を示す平面図である。
【図１４】比較例３のクーラーボード４０に加温ジェルを載置した後の温度状態の経時変化を示す平面図である。
【図１５】比較例３のクーラーボード４０に加温ジェルを載置した後の温度状態の経時変化を示す平面図である。
【符号の説明】
１  ペット動物用クーラーボード
２  アルミニウム板
２ａ  表面
２ｂ  裏面
３  酸化皮膜
４  凹凸
４ａ  凸部
４ｂ  凹部
５  孔
５ａ  把手
６  ペット動物
６ａ  体表面
１０  クーラーボード
１１  ジェルパック
１２  載置区分
２０  クーラーボード
２１  ジェル
２２  載置区分
３０  クーラーボード
３１  ジェル
３２  載置区分
４０  コンクリート
４１  ジェル
４２  載置区分
【図１】
0003618327.tif 000002
【図２】
0003618327.tif 000003
【図３】
0003618327.tif 000004
【図４】
0003618327.tif 000005
【図５】
0003618327.tif 000006
【図６】
0003618327.tif 000007
【図７】
0003618327.tif 000008
【図８】
0003618327.tif 000009
【図９】
0003618327.tif 000010
【図１０】
0003618327.tif 000011
【図１１】
0003618327.tif 000012
【図１２】
0003618327.tif 000013
【図１３】
0003618327.tif 000014
【図１４】
0003618327.tif 000015
【図１５】
0003618327.tif 000016